(57)【特許請求の範囲】
【請求項１】
ゴム又はエラストマー製の止水部材において、
導電路を収容保護した状態の筒状の外装部材を挿通する部分として、外装部材挿通部を有し、
該外装部材挿通部のみの外面には、内部空間を広げるための活用部分として、治具係合部を複数突出形成し、
該治具係合部を、前記外装部材挿通部の軸に沿ってのびる外観略蒲鉾形状に形成するとともに、前記軸に沿って貫通孔が形成され両端が開口する形状に形成する
ことを特徴とする止水部材。
【請求項２】
請求項１に記載の止水部材において、
前記複数の治具係合部を対称位置に配置する
ことを特徴とする止水部材。
【請求項３】
請求項１又は２に記載の止水部材において、
前記導電路の端末に設けられるコネクタを覆う部分として、コネクタブーツ部を更に有する
ことを特徴とする止水部材。
【請求項４】
請求項１又は２に記載の止水部材において、
パネル部材の貫通孔に係合する部分として、パネル係合部を更に有する
ことを特徴とする止水部材。
【請求項５】
ゴム又はエラストマー製の止水部材に形成された筒状の外装部材挿通部の内部空間を、治具の係合によって広げる拡張作業と、
前記内部空間を広げた状態の前記外装部材挿通部に、導電路を収容保護した状態の筒状の外装部材を挿通する挿通作業とを含み、
前記治具による係合にあたっては、前記外装部材挿通部のみの外面に複数突出形成された治具係合部を用いることとし、
該治具係合部を、前記外装部材挿通部の軸に沿ってのびる外観略蒲鉾形状に形成するとともに、前記軸に沿って貫通孔が形成され両端が開口する形状に形成する
ことを特徴とするワイヤハーネスの製造方法。
【発明の詳細な説明】
【技術分野】
【０００１】
本発明は、導電路を収容保護する外装部材を挿通対象とする止水部材と、この止水部材を構成に含むワイヤハーネスの製造方法とに関する。
【背景技術】
【０００２】
例えばハイブリッド自動車や電気自動車に搭載される高電圧の機器間を電気的に接続するためとしてワイヤハーネスが用いられる。下記特許文献１に開示されたワイヤハーネスは、導電路と、この導電路を保護するための合成樹脂製の外装部材とを備えて構成される。外装部材は、平形の管体形状に形成される。
【先行技術文献】
【特許文献】
【０００３】
【特許文献１】特開２０１０−１２８６８号公報
【発明の概要】
【発明が解決しようとする課題】
【０００４】
特許文献１に開示されたワイヤハーネスの外装部材にあっては、管体形状であることから両端末が開口するように形成される。従って、内部に水分が浸入しないようにするためには、両端末にそれぞれ止水部材を取り付けることが有効である。また、ワイヤハーネスを車両内外にわたって配索する場合、車両内外の境界部分でワイヤハーネスを貫通させる必要があることから、貫通部分にも止水部材を取り付けることが車両内部への水分の浸入防止に有効である。
【０００５】
しかしながら、止水部材に関しては次のような問題点を有する。すなわち、止水部材を取り付けるには、外装部材を挿通する部分（挿通部分）の内面側に治具を差し込んで挿通部分を拡径させ（内部空間を広げ）、この後に外装部材を挿通するという作業が必要になるが、挿通部分の内面に治具を引っ掛ける部分を形成した上で挿通部分を拡径させようとすると、上記引っ掛ける部分の存在により外装部材の挿通がし難くなってしまうという問題点を有する。
【０００６】
本発明は、上記した事情に鑑みてなされたもので、外装部材の取り付けを良好にすることが可能な止水部材と、この止水部材を備えるワイヤハーネスの製造方法とを提供することを課題とする。
【課題を解決するための手段】
【０００７】
上記課題を解決するためになされた請求項１に記載の本発明の止水部材は、ゴム又はエラストマー製の止水部材において、導電路を収容保護した状態の筒状の外装部材を挿通する部分として、外装部材挿通部を有し、該外装部材挿通部のみの外面には、内部空間を広げるための活用部分として、治具係合部を複数突出形成し、該治具係合部を、前記外装部材挿通部の軸に沿ってのびる外観略蒲鉾形状に形成するとともに、前記軸に沿って貫通孔が形成され両端が開口する形状に形成することを特徴とする。
【０００８】
請求項２に記載の本発明は、請求項１に記載の止水部材において、前記複数の治具係合部を対称位置に配置することを特徴とする。
【０００９】
請求項３に記載の本発明は、請求項１又は２に記載の止水部材において、前記導電路の端末に設けられるコネクタを覆う部分として、コネクタブーツ部を更に有することを特徴とする。
【００１０】
請求項４に記載の本発明は、請求項１又は２に記載の止水部材において、パネル部材の貫通孔に係合する部分として、パネル係合部を更に有する
ことを特徴とする。
【００１１】
また、上記課題を解決するためになされた請求項５に記載の本発明のワイヤハーネスの製造方法は、ゴム又はエラストマー製の止水部材に形成された筒状の外装部材挿通部の内部空間を、治具の係合によって広げる拡張作業と、前記内部空間を広げた状態の前記外装部材挿通部に、導電路を収容保護した状態の筒状の外装部材を挿通する挿通作業とを含み、前記治具による係合にあたっては、前記外装部材挿通部のみの外面に複数突出形成された治具係合部を用いることとし、該治具係合部を、前記外装部材挿通部の軸に沿ってのびる外観略蒲鉾形状に形成するとともに、前記軸に沿って貫通孔が形成され両端が開口する形状に形成することを特徴とする。
【発明の効果】
【００１２】
請求項１に記載された本発明によれば、筒状の外装部材を挿通する部分として外装部材挿通部を有する止水部材であり、外装部材挿通部の外面には治具係合部が複数形成されることから、外装部材挿通部の内面側に外装部材の挿通に妨げとなる部分を存在させないようにすることができる。従って、治具係合部を用いて外装部材挿通部の内部空間を拡径すれば、外装部材の挿通をスムーズに行うことができるという効果を奏する。別な言い方をすれば、外装部材の取り付けを良好に行うことができるという効果を奏する。
【００１３】
請求項２に記載された本発明によれば、複数の治具係合部を対称位置に配置することから、均等に外装部材挿通部を拡径させることができるという効果を奏する。従って、良好な外装部材の取り付けに寄与することができるという効果を奏する。
【００１４】
請求項３に記載された本発明によれば、導電路の端末のコネクタが覆われて水分の浸入が防止される部分を更に有する。従って、本発明によれば、コネクタブーツとして有効な止水部材を提供することができるという効果を奏する。
【００１５】
請求項４に記載された本発明によれば、パネル部材の貫通孔からの水分の浸入が防止される部分を更に有する。従って、本発明によれば、グロメットとして有効な止水部材を提供することができるという効果を奏する。
【００１６】
請求項５に記載された本発明によれば、請求項１、２、３又は４に記載の止水部材に対し外装部材を挿通することから、外装部材の挿通をスムーズに行うことができ、結果、ワイヤハーネスの製造を良好にすることができるという効果を奏する。
【図面の簡単な説明】
【００１７】
【図１】本発明の止水部材を備えるワイヤハーネスの配索状態を示す図であり、（ａ）は高電圧のワイヤハーネスの配索状態を示す模式図、（ｂ）は（ａ）とは別のワイヤハーネスの配索状態を示す模式図である（実施例１）。
【図２】止水部材としてのコネクタブーツを示す斜視図である（実施例１）。
【図３】本発明のワイヤハーネスの製造方法に係る説明図であり、（ａ）は外装部材挿通部の拡張作業を示すＡ−Ａ線断面図、（ｂ）は外装部材挿通部に外装部材を挿通した状態を示す断面図である。
【図４】止水部材としてのグロメットを示す斜視図である（実施例２）。
【発明を実施するための形態】
【００１８】
ゴム又はエラストマー製の止水部材は、ワイヤハーネスを構成する部品として備えられる。ワイヤハーネスに関しては、止水部材の他に、導電路と、この導電路を収容保護する筒状の外装部材とを更に備えて構成される。
【００１９】
止水部材は、コネクタブーツやグロメットであり、外装部材挿通部を有する。外装部材挿通部は、導電路を収容保護した状態の筒状の外装部材を挿通する部分であり、このような外装部材挿通部の外面には、複数の治具係合部が形成される。治具係合部は、外装部材を挿通する際の、外装部材挿通部の内部空間を広げる部分として形成される。治具係合部は、外装部材挿通部の内面側でなく外面に配置形成されることから、外装部材の挿通はスムーズに行われる。
【実施例１】
【００２０】
以下、図面を参照しながら実施例１を説明する。図１は本発明の止水部材を備えるワイヤハーネスの配索状態を示す図であり、（ａ）は高電圧のワイヤハーネスの配索状態を示す模式図、（ｂ）は（ａ）とは別のワイヤハーネスの配索状態を示す模式図である。
【００２１】
本実施例においては、ハイブリッド自動車（電気自動車やエンジンで走行する一般的な自動車等であってもよいものとする）に配索されるワイヤハーネスに対し本発明を採用する。
【００２２】
＜ハイブリッド自動車１の構成について＞
図１（ａ）において、引用符号１はハイブリッド自動車を示す。ハイブリッド自動車１は、エンジン２及びモータユニット３の二つの動力をミックスして駆動する車両であって、モータユニット３にはインバータユニット４を介してバッテリー５（電池パック）からの電力が供給される。エンジン２、モータユニット３、及びインバータユニット４は、本実施例において前輪等がある位置のエンジンルーム６に搭載される。また、バッテリー５は、後輪等がある自動車後部７に搭載される（エンジンルーム６の後方に存在する自動車室内に搭載してもよいものとする）。
【００２３】
モータユニット３とインバータユニット４は、高圧のワイヤハーネス８（高電圧用のモーターケーブル）により接続される。また、バッテリー５とインバータユニット４も高圧のワイヤハーネス９により接続される。ワイヤハーネス９は、この中間部１０が車両における（車体における）車両床下１１に配索される。また、中間部１０は、車両床下１１に沿って略平行に配索される。車両床下１１は、公知のボディ（車体）であるとともに所謂パネル部材であって、所定位置には貫通孔が形成される。この貫通孔には、ワイヤハーネス９が水密に挿通される。
【００２４】
尚、上記貫通孔に対し水密に挿通するために、ワイヤハーネス９にはグロメットＧ（止水部材）が設けられる。グロメットＧにより車両内部への水分の浸入が防止される。グロメットＧに関しては、実施例２で後述する。
【００２５】
ワイヤハーネス９とバッテリー５は、このバッテリー５に設けられるジャンクションブロック１２を介して接続される。ジャンクションブロック１２には、ワイヤハーネス９の後端側のハーネス端末１３に配設されたシールドコネクタ１４等の外部接続手段が電気的に接続される。また、ワイヤハーネス９とインバータユニット４は、前端側のハーネス端末１３に配設されたシールドコネクタ１４等の外部接続手段を介して電気的に接続される。
【００２６】
尚、ハーネス端末１３においても水分の浸入を防止することができるように、ワイヤハーネス９にはコネクタブーツＢ（止水部材）が設けられる。コネクタブーツＢは、ワイヤハーネス９の後述する外装部材２０の端末に取り付けられる。また、シールドコネクタ１４を覆うような状態にも取り付けられる。
【００２７】
モータユニット３は、モータ及びジェネレータを含んで構成される。また、インバータユニット４は、インバータ及びコンバータを構成に含んで構成される。モータユニット３は、シールドケースを含むモータアッセンブリとして形成される。また、インバータユニット４もシールドケースを含むインバータアッセンブリとして形成される。バッテリー５は、Ｎｉ−ＭＨ系やＬｉ−ｉｏｎ系のものであって、モジュール化することによりなる。尚、例えばキャパシタのような蓄電装置を使用することも可能である。バッテリー５は、ハイブリッド自動車１や電気自動車に使用可能であれば特に限定されないのは勿論である。
【００２８】
図１（ｂ）において、引用符号１５はワイヤハーネスを示す。ワイヤハーネス１５は、低圧の（低電圧用の）ものであって、ハイブリッド自動車１における自動車後部７の低圧バッテリー１６と、自動車前部１７に搭載される補器１８（機器）とを電気的に接続するために備えられる。ワイヤハーネス１５は、図１（ａ）のワイヤハーネス９と同様に、車両床下１１を通って配索される（一例であり、車室側を通って配索されてもよいものとする）。また、止水部材であるコネクタブーツＢやグロメットＧが取り付けられる。
【００２９】
上記の如く、ハイブリッド自動車１には高圧のワイヤハーネス８、９及び低圧のワイヤハーネス１５が配索される。本発明に係る止水部材（コネクタブーツＢ、グロメットＧ）は、いずれのワイヤハーネスに対しても適用可能である。
【００３０】
本発明においては、ワイヤハーネス９を代表例に挙げて、これに用いられるコネクタブーツＢを実施例１で、また、グロメットＧを実施例２でそれぞれ説明する。
【００３１】
＜ワイヤハーネス９の構成について＞
図２は止水部材としてのコネクタブーツを示す斜視図である。また、図３は本発明のワイヤハーネスの製造方法に係る説明図であり、（ａ）は外装部材挿通部の拡張作業を示すＡ−Ａ線断面図、（ｂ）は外装部材挿通部に外装部材を挿通した状態を示す断面図である。
【００３２】
図１（ａ）及び図２において、ワイヤハーネス９は、車両床下１１を通って配索される長尺なハーネス本体１９と、このハーネス本体１９の両端にそれぞれ配設されるシールドコネクタ１４（外部接続手段）と、本発明に係るコネクタブーツＢ（及びグロメットＧ）とを備えて構成される。ハーネス本体１９は、所定長さの管体（筒）として形成される外装部材２０と、この外装部材２０に収容保護される高圧導電路２１（導電路、電線）とを備えて構成される（図３（ｂ）参照）。
【００３３】
＜コネクタブーツＢについて＞
図２及び図３において、コネクタブーツＢは、上記の如く止水部材であって、ゴム又はエラストマー製の伸縮性を有するものとして形成される。また、取り付け部分においては、弾力性により密着状態が生じるものとして形成される。このようなコネクタブーツＢは、高圧導電路２１を収容した状態の外装部材２０を挿通する外装部材挿通部２２と、外装部材挿通部２２に連続してシールドコネクタ１４を覆うブーツ部２３（コネクタブーツ部）とを有して例えば図示形状に形成される。
【００３４】
＜外装部材挿通部２２について＞
図２及び図３において、外装部材挿通部２２は、筒状の部分に形成される。また、この大きさが外装部材２０よりも若干小さくなるように形成される（若しくはピッタリに形成される）。外装部材挿通部２２は、上記の如く筒状の部分であることから、端部２４と、外面２５と、内面２６とを有する。外装部材挿通部２２の外面２５には、複数の治具係合部２７が形成される。治具係合部２７は、本実施例において、端部２４の側に配置形成される。
【００３５】
＜治具係合部２７について＞
図３において、治具係合部２７は、外装部材挿通部２２の内部空間２８を広げるために用いられる治具２９の、例えばピン形状のフック３０に係合する部分として形成される。本実施例においては、治具２９のフック３０に挿通されて引っ掛かるような形状に形成される。具体的には、外観が外装部材挿通部２２の軸に沿ってのびる略蒲鉾形状に形成されるとともに、上記軸に沿って貫通孔が形成される形状に形成される（一例であるものとする）。治具係合部２７は、本実施例において四つ形成され、外装部材挿通部２２の軸に直交する線に対称となる位置に配置形成される。尚、治具係合部２７の数や配置は、治具２９の使用し易さに配慮して適宜設定されるものとする（逆に治具係合部２７に合わせてフック３０の形状等が適宜設定されてもよいものとする）。
【００３６】
＜図示しないリップ部について＞
図３において、外装部材挿通部２２の内面２６には、シール部分としてリップ部（図示省略）が複数形成される。リップ部は、内面２６から内方に突出してこれが全周にわたるような小さな凸部形状に形成される。また、リップ部は、外装部材挿通部２２の軸に沿って所定の間隔で並ぶように配置形成される。
【００３７】
＜ブーツ部２３について＞
図２において、ブーツ部２３は、上記の如くシールドコネクタ１４を覆う部分として形成される。ブーツ部２３は、シールドコネクタ１４の接続作業をし易くするために曲げ可能な形状に形成される（例えば蛇腹管形状に形成される）。
【００３８】
＜ワイヤハーネス９の製造方法について＞
上記構成及び構造において、図３（ａ）に示す如く、この図の状態から治具２９を用いて外装部材挿通部２２の内部空間２８を広げる拡張作業（拡径作業）を行うと、別な言い方をすれば治具係合部２７を治具２９のフック３０に引っ掛けて矢印方向に広げる拡張作業を行うと、外装部材挿通部２２が拡径した状態になることから、ハーネス本体１９の挿通作業をスムーズに行うことができる。また、外装部材挿通部２２の内面２６に挿通の妨げになる部分がないことから、ハーネス本体１９の挿通作業をスムーズに行うことができる。そして挿通後、治具２９のフック３０から治具係合部２７を取り外すと（治具係合部２７の係合解除作業を行うと）、図３（ｂ）に示す状態になって外装部材挿通部２２はハーネス本体１９の外装部材２０に密着する。
【００３９】
＜本発明の効果について＞
以上、図１ないし図３を参照しながら説明してきたように、本発明によれば、コネクタブーツＢに対し外装部材２０の挿通をスムーズに行うことができるという効果を奏する。別な言い方をすれば、外装部材２０の取り付けを良好に行うことができるという効果を奏する。
【実施例２】
【００４０】
以下、図面を参照しながら実施例２を説明する。図４は止水部材としてのグロメットＧを示す斜視図である。尚、上記実施例１と基本的に同じ構成部材には同一の符号を付して詳細な説明を省略する。
【００４１】
＜グロメットＧについて＞
図４において、止水部材であるグロメットＧは、ゴム又はエラストマー製の伸縮性を有するものとして形成される。また、取り付け部分においては、弾力性により密着状態が生じるものとして形成される。このようなグロメットＧは、高圧導電路２１を収容した状態の外装部材２０（図４参照）を挿通する外装部材挿通部４１と、外装部材挿通部４１に連続して車両床下１１（図１参照）の図示しない貫通孔に係合するパネル係合部４２と、これら外装部材挿通部４１及びパネル係合部４２を繋ぐ連結部４３とを有して例えば図示形状に形成される。
【００４２】
＜外装部材挿通部４１について＞
外装部材挿通部４１は、筒状の部分に形成される。また、この大きさが外装部材２０（図３参照）よりも若干小さくなるように形成される（若しくはピッタリに形成される）。外装部材挿通部４１は、上記の如く筒状の部分であることから、端部４４と、外面４５と、内面４６とを有する。外装部材挿通部４１の外面４５には、複数の治具係合部４７が形成される。
【００４３】
＜治具係合部４７について＞
治具係合部４７は、外装部材挿通部４１の内部空間４８を広げるために用いられる治具２９のフック３０（図３参照）に係合する部分として形成される。本実施例においては、治具２９のフック３０に挿通されて引っ掛かるような形状に形成される。具体的には、実施例１と同様に、外観が外装部材挿通部４１の軸に沿ってのびる略蒲鉾形状に形成されるとともに、上記軸に沿って貫通孔が形成される形状に形成される（一例であるものとする）。治具係合部４７は、本実施例において四つ形成され、外装部材挿通部４１の軸に直交する線に対称となる位置に配置形成される。また、端部４４の近傍位置に配置形成される。
【００４４】
＜図示しないリップ部について＞
外装部材挿通部４１の内面４６には、シール部分としてリップ部（図示省略）が複数形成される。リップ部は、内面４６から内方に突出してこれが全周にわたるような小さな凸部形状に形成される。また、リップ部は、外装部材挿通部４１の軸に沿って所定の間隔で並ぶように配置形成される。
【００４５】
＜パネル係合部４２及び連結部４３について＞
パネル係合部４２は、車両床下１１（図１参照）の図示しない貫通孔に係合する部分として形成される。また、連結部４３は、上記の如く外装部材挿通部４１及びパネル係合部４２を繋ぐ部分として形成される。連結部４３は、曲げ可能な形状に形成される（例えば蛇腹管形状に形成される）。
【００４６】
＜ワイヤハーネス９の製造方法について＞
上記構成及び構造において、治具係合部４７を治具２９のフック３０（図３参照）に引っ掛けて外装部材挿通部４１の内部空間４８広げる拡張作業（拡径作業）を行うと、外装部材挿通部４１が拡径した状態になることから、ハーネス本体１９（図３参照）の挿通作業をスムーズに行うことができる。また、外装部材挿通部４１の内面４６に挿通の妨げになる部分がないことから、ハーネス本体１９の挿通作業をスムーズに行うことができる。そして挿通後、治具２９のフック３０から治具係合部４７を取り外すと（治具係合部４７の係合解除作業を行うと）、外装部材挿通部４１はハーネス本体１９の外装部材２０に密着する。
【００４７】
以上、図４を参照しながら説明してきたように、実施例２も実施例１と同様の効果を奏するのは勿論である。すなわち、グロメットＧに対し外装部材２０（図３参照）の挿通をスムーズに行うことができるという効果を奏する。別な言い方をすれば、外装部材２０の取り付けを良好に行うことができるという効果を奏する。
【００４８】
この他、本発明は本発明の主旨を変えない範囲で種々変更実施可能なことは勿論である。
【符号の説明】
【００４９】
Ｂ…コネクタブーツ（止水部材）、  Ｇ…グロメット（止水部材）、  １…ハイブリッド自動車、  ２…エンジン、  ３…モータユニット、  ４…インバータユニット、  ５…バッテリー、  ６…エンジンルーム、  ７…自動車後部、  ８、９…ワイヤハーネス、  １０…中間部、  １１…車両床下、  １２…ジャンクションブロック、  １３…ハーネス端末、  １４…シールドコネクタ、  １５…ワイヤハーネス、  １６…低圧バッテリー、  １７…自動車前部、  １８…補器、  １９…ハーネス本体、  ２０…外装部材、  ２１…高圧導電路（導電路）、  ２２…外装部材挿通部、  ２３…ブーツ部（コネクタブーツ部）、  ２４…端部、  ２５…外面、  ２６…内面、  ２７…治具係合部、  ２８…内部空間、  ２９…治具、  ３０…フック、  ４１…外装部材挿通部、  ４２…パネル係合部、  ４３…連結部、  ４４…端部、  ４５…外面、  ４６…内面、  ４７…治具係合部、  ４８…内部空間
【図１】
0006619593.tif 000002
【図２】
0006619593.tif 000003
【図３】
0006619593.tif 000004
【図４】
0006619593.tif 000005